(57)【要約】この給排気型レンジフード１００は、フード本体１０の上部内に、互いに上下方向に区画されて隣接し合う第１区画箱２０及び第２区画箱３０を配置し、第１区画箱２０に、フード本体１０内に開口する吸引口２１と、ダクト５３が接続される排出口２３とを形成するとともに、この第１区画箱２０内に、吸引口２１から吸引した排気を各ブレード２２ａの間から排出するシロッコファン２２を設け、第２区画箱３０に、屋外または室内の空気を吸引する給気ダクト５４に接続される給気口３１と、吸引した空気をフード本体１０の内側または外側に給気する吐出口３２とを形成すると共に、この第２区画箱３０内に、前記空気を吐出口３２に向けて送り出す給気ファン３３を設けて、この給気ファン３３及びシロッコファン２２を１つの駆動モータ４０により同軸的に駆動するようにした。
2004051152.tif 000002
【特許請求の範囲】
【請求項１】
キッチンの調理器（７０）上に設置されて、少なくとも調理器（７０）から発生する油煙や水蒸気を含んだ排気をフード本体（１０）にて捕集してから排気ダクト（５３）を介して屋外に排出する給排気型レンジフード（１００）であって、
フード本体（１０）の上部内に、互いに上下方向に区画されて隣接し合う第１区画箱（２０）及び第２区画箱（３０）を配置し、
第１区画箱（２０）に、フード本体（１０）内に開口する吸引口（２１）と、ダクト（５３）が接続される排出口（２３）とを形成するとともに、この第１区画箱（２０）内に、吸引口（２１）から吸引した排気を各ブレード（２２ａ）の間から排出するシロッコファン（２２）を設け、
第２区画箱（３０）に、屋外または室内の空気を吸引する給気ダクト（５４）に接続される給気口（３１）と、吸引した空気をフード本体（１０）の内側また外側に給気する吐出口（３２）とを形成すると共に、この第２区画箱（３０）内に、前記空気を吐出口（３２）に向けて送り出す給気ファン（３３）を設けて、
この給気ファン（３３）及びシロッコファン（２２）を１つの駆動モータ（４０）により同軸的に駆動するようにしたことを特徴とする給排気型レンジフード（１００）。
【請求項２】
フード本体（１０）の内側であって、第１及び第２区画箱（２０）（３０）の下側に区画板（３４）を設け、この区画板（３４）と第１及び第２区画箱（２０）（３０）との間に前記空気のための給気通路（３５）を形成して、この給気通路（３５）に第２区画箱（３０）の吐出口（３２）を開口させるとともに、この給気通路（３５）をフード本体（１０）の内側に開口させて、
給気ダクト（５４）からの空気をフード本体（１０）の内面に吐出させることにより、調理器（７０）からの排気を囲むエアカーテンを発生させるようにしたことを特徴とする請求項１に記載の給排気型レンジフード（１００）。
【請求項３】
第１及び第２区画箱（２０）（３０）の周囲に区画筒（６０）を取付けるとともに、この区画筒（６０）の下端に、第１区画箱（２０）の吸引口（２１）のみをフード本体（１０）内に連通させる通孔（６２）を有した隔離板（６１）を取付け、
この隔離板（６１）と、区画筒（６３）及びフード本体（１０）との間に給気通路（６３）を形成し、この給気通路（６３）内に対して、第２区画箱（３０）の吐出口（３２）、区画筒（６０）の開口（６４）、及びフード本体（１０）の上部に形成した給気口（１２）を介して第２区画箱（３０）内を連通させて、
給気ダクト（５４）からの空気をフード本体（１０）の外面に吐出させることにより、このフード本体（１０）上面１の油滴の付着を防止するとともに、調理器（７０）からの排気を囲むエアカーテンを発生させるようにしたことを特徴とする請求項１に記載の給排気型レンジフード。
【発明の詳細な説明】
【技術分野】  本発明は、加熱装置上のなべやフライパン等の調理器から発生する油煙や水蒸気を含んだ排気を捕集して屋外に排出するレンジフードに関し、特に、自ら外気や室内空気を吸引しながら排気の排出を行うようにした給排気型レンジフードに関するものである。
【背景技術】  キッチンの電磁調理器やガスコンロ等の加熱装置によって、例えばフライパンで調理を行うと、その調理に使用した油が油煙となって蒸発し、この油煙が調理材料の水分による水蒸気とともに上昇する。この油煙等の排気は、そのままキッチン内に放散させると、壁や家具を汚すだけでなく、その中の臭いによりキッチン内の空気を汚すことにもなる。このため、従来より、キッチンの調理器上に設置されるレンジフードが種々提案されてきているのであり、このレンジフードに内蔵されているファンの作用によって排気を捕集して屋外に排出するようにすることがなされてきているのである。
一方、近年の家屋についてみてみると、コンクリートで作られた集合住宅で多く見られるように、各部屋の気密性が非常に高くなってきており、レンジフードが設置されているキッチンも気密性が高くなってきている。
この気密性の高いキッチンにて、上述したようなレンジフードを作動させても、排気の排出量に見合う空気の供給ができないため、結果的に十分な排気が行えない。窓を開けて外気を導入することも考えられるが、冬期においては、冷たい空気を部屋内に導入するということになり、折角のレンジフードも十分使用されない場合が多い。その結果、相変わらず、調理する毎に、部屋の空気が汚れ、油煙が壁や家具に付着するということになる。
また、近年の集合住宅は高層化しているため、約２０メートル以上の部屋では、風による影響のため、十分な給気が行えないことがある。その第１の理由は、窓側からの風が入りにくくなっていて、直接外気の取り込みがしにくくなっているからであり、第２の理由は高層になればなる程風による負圧が窓側に発生するため、外気の導入がしづらくなるからである。つまり、風が当たる側とは反対側の部屋の外面に対しては、風が通り抜けることによる負圧が発生するため、仮に壁に通気口を開けたとしても、そこからの外気の取り込みがしづらくなるのである。
さらに、この種のレンジフードでは、季節や窓の状態にかかわらず、調理直後にファン停止を行った場合も、油煙を含む排気が調理器から立ち昇り、この排気によっても、キッチン内の空気や壁が汚れるといったことになるのである。
そこで、出願人は、日本国特許第３１３１７３１号等において、排気機能を十分高めたレンジフード用の排気装置を提案してきているのであるが、この日本国特許第３１３１７３１号の考え方をさらに押し進めて、給気をも自ら行えるようにするにはどうしたらよいか、について種々調査を重ねてきた結果、第９図にて示す特開平０５−１９６２６８号公報にて提案されている「同時給排気型レンジフード２００」を、また、第１０図にて示す特開平０７−２６０２２７号公報にて提案されている「給排気式レンジフード３００のファン」、さらには、第１１図にて示す、カタログ（東京都中央区八丁堀４−１−３所在の暖冷工業株式会社発行、２００１年１１月現在の内容を示すもの、その第３８頁）に記載されている「レンジフード４００」の存在を見出したのである。
特開平０５−１９６２６８号公報にて提案されている「同時給排気型レンジフード２００」は、第９図に示すように、実線矢印にて示した排気の流れを、点線矢印にて示した給気の流れによって包み込み、排気をフード本体２０６内に完全に送り込めるようにしたものである。
この第９図に示したレンジフード２００では、上記公報の段落００１９に記されているように、給気ファン２０１は給気用電動機２０２で駆動され、排気ファン２０３は排気用電動機２０４で駆動されるものであり、これらの給気用及び排気用電動機２０２・２０４はファンインバータ２０５に接続されているものである。
換言すれば、第９図に示した従来のレンジフード２００では、給気及び排気の両ファン２０１・２０３が別個に配置されていて、それぞれ電動機２０２・２０４を必要としているのであり、これらを収納するために、フード本体２０６に大きなスペースが必要となっている。
一方、第１０図に示したレンジフード３００についてみてみると、このレンジフード３００も、図中の黒矢印で示した排気の流れを白矢印で示した給気の流れで包み込み、排気をフード本体３０１内に完全に送り込めるようにしたものであるが、このレンジフード３００についても、上述した第９図のレンジフード２００と同様な問題を有している。
すなわち、この第１０図のレンジフード３００は、上記公報の段落０００９に記載されているように、まず、下面を開放した箱状に形成したフード本体３０１内に、ケーシング３０２、モータ３０３及びファン３０４で構成される排気装置３１０を配置したものであり、この排気装置３１０は天板部３２０の下面に取付けてある。また、このレンジフード３００は、段落００１３に記載されているように、天板部３２０の上面に外気給気装置３３０を配置したものであり、この外気給気装置３３０は、天板部３２０上面に取付けられたケーシング内部に給気ファン３３１を収納し、天板部３２０下面に取付けたモータ３３２によって駆動するようにしたものである。
従って、この第１０図に示したレンジフード３００も、給気及び排気ファン３３１・３０２が天板部３２０の上下に別個に配置されていて、それぞれモータ３３２・３０３を必要としているのであり、これらを収納するために、フード本体３０１内に大きなスペースが必要になっているものである。
このため、第１１図に示した「レンジフード４００」では、排気ファン４０１及び給気ファン４０２を１つの駆動モータ４０３に駆動するようにして、排気ファン４０１による排気を排気ダクト４０４で、また給気ファン４０２による給気を給気ダクト４０５で行うようにすることがなされている。このようにすることにより、第９図や第１０図で示したレンジフード２００・３００での、排気ファン及び給気ファンのそれぞれを個別に駆動するというムダは省かれていると考えられる。
しかしながら、この第１１図に示したレンジフード４００では、排気ファン４０１及び給気ファン４０２がフード本体４０６内の上下方向に配置されているため、各ファンが回転して排気や空気の流れを作るためには横方向に相当大きな空間が必要になるのであり、フード本体４０６の上部が大きくなって当該レンジフード４００の収納や取付を困難にするだけでなく、デザイン上も好適とは言えないものと考えられる。また、上下方向に対する空間も十分大きいことが必要となるため、調理器と天井との間の空間が余りない一般住宅において、設置すること自体が不可能になる場合があると考えられる。
すなわち、この種のレンジフードは、第９図及び第１０図にも示されているように、電磁調理機等の加熱装置上の調理器の、さらに上方に配置されるものであって、調理器と天井との間の空間を利用するものであるため、上下方向についてはそれ程大きくすることはできないのである。特に、上述したように一般の個人住宅においては、キッチンの天井は低く、第９図〜第１１図に示したような上下方向に長くなる従来のレンジフードは設置しにくいのである。
そこで、本発明者は、排気の排出は勿論、排気を包み込むエアカーテンなどを発生させるための給気も行えて、しかも天井の低い一般住宅においても設置できるようなレンジフードとするにはどうしたらよいか、について種々検討を重ねてきた結果、本発明を完成したのである。
本発明は、以上の経緯に基づいてなされたもので、その目的とするところは、給気と排気とを同時に行えるようにして、室内の空気や壁等を汚れないようにすることは勿論、全体をコンパクト化することにより、設置スペースを小さくしてどのようなキッチンにも適用することのできるレンジフードを提供することにある。本発明のさらなる目的は、排気を包み込む前の給気によるエアカーテンによってフード本体が汚れないようにすることである。
【発明の開示】
以上の目的を達成するために、まず請求項１に係る発明の採った手段は、後述する最良の形態の説明中において使用する符号を付して説明すると、
「キッチンの調理器７０上に設置されて、少なくとも調理器７０から発生する油煙や水蒸気を含んだ排気をフード本体１０にて捕集してから排気ダクト５３を介して屋外に排出する給排気型レンジフード１００であって、
フード本体１０の上部内に、互いに上下方向に区画されて隣接し合う第１区画箱２０及び第２区画箱３０を配置し、
第１区画箱２０に、フード本体１０内に開口する吸引口２１と、ダクト５３が接続される排出口２３とを形成するとともに、この第１区画箱２０内に、吸引口２１から吸引した排気を各ブレード２２ａの間から排出するシロッコファン２２を設け、
第２区画箱３０に、屋外または室内の空気を吸引する給気ダクト５４に接続される給気口３１と、吸引した空気をフード本体１０の内側また外側に給気する吐出口３２とを形成すると共に、この第２区画箱３０内に、前記空気を吐出口３２に向けて送り出す給気ファン３３を設けて、
この給気ファン３３及びシロッコファン２２を１つの駆動モータ４０により同軸的に駆動するようにしたことを特徴とする給排気型レンジフード１００」
である。
すなわち、この請求項１の給排気型レンジフード１００は、後述する２つの最良の形態の両方を含む上位概念に係るものであり、特に、上下方向に互いに隣接し合う第１区画箱２０と第２区画箱３０とをフード本体１０の上部に備えたものである。そして、第１区画箱２０内にはシロッコファン２２を組付け、第２区画箱３０内には給気ファン３３（クロスファンと呼ばれるタイプのもの）を組付けて、これらのシロッコファン２２及び給気ファン３３を、その中心に配設した１つの駆動モータ４０によって同軸的に駆動するようにしたものである。
特に、この給排気型レンジフード１００では、そのフード本体１０内に、上下方向に互いに隣接し合う第１区画箱２０と第２区画箱３０とを形成し、それぞれの中にシロッコファン２２と給気ファン３３とを設けるようにしているから、フード本体１０という狭い空間内に、上下方向の排気及び空気通路が効率よく形成されているのであり、シロッコファン２２と給気ファン３３とによる各送気を、限られた空間内で行えるようにしているのである。このため、この請求項１に係る給排気型レンジフード１００は、フード本体１０がコンパクトなものになって、第９図〜第１１図に示した従来のレンジフードに比較して小さくなっているのである。
以上のように構成することにより、第１図〜第８図中の黒矢印で示すような排気の流路と、白矢印で示すような給気の流路が形成されるのである。これら各流路は、互いに隣接し合う第１区画箱２０と第２区画箱３０とによって互いに混合し合うことなく送られるものとなっているのである。なお、後述する最良の形態では、フード本体１０内にフィルター１１を配置しており、このフィルター１１の存在によって油煙の一部が除去されるため、油煙がある程度除去された排気は、第１図〜第８図中のハッチング矢印で示したような流路を形成するものである。これら３種類の流路について、当該給排気型レンジフード１００の各構成部材との関係を説明すると、次の通りである。
まず、排気を行うためのシロッコファン２２を収納している第１区画箱２０は、その下部側方にて開口している吸引口２１にてフード本体１０内に連通していて、この第１区画箱２０は図示上方の排気ダクト５３につながれているため、駆動モータ４０によってシロッコファン２２が駆動されると、フード本体１０内の排気等は、第１区画箱２０の吸引口２１から吸引されて排気ダクト５３から排出されるのである。このとき、以下の最良の形態に係る給排気型レンジフード１００では、フード本体１０内にフィルター１１が配置してあるため、調理器７０から発生した油煙や水蒸気を含む排気は、各図中の黒矢印で示すように、フィルター１１を通り、その際に、このフィルター１１によって油煙の大部分が液化されて、各図中のハッチング矢印で示す油煙の少なくなった排気となる。
その後、ハッチング矢印で示した排気は、第４図及び第８図に示すように、第１区画箱２０の吸引口２１からシロッコファン２２内に取り込まれ、このシロッコファン２２を構成している各ブレード２２ａから第１区画箱２０の上方に向けて送られる。この第１区画箱２０には排気ダクト５３が接続してあったから、ある程度残っている油煙と水蒸気を含む排気は排気ダクト５３を介して屋外に排出されるのである。
以上のシロッコファン２２による排気がなされるだけであれば、当然当該給排気型レンジフード１００を設置したキッチン内は、僅かに負圧になって排気がうまくいかないことになるのであるが、本発明の給排気型レンジフード１００では第２区画箱３０内の給気ファン３３によって、外気または天井５２裏の空気の供給が次のようになされるから、排気ガスの排出は安定的になされるのである。
給気ファン３３を収納している第２区画箱３０は、シロッコファン２２を収納している第１区画箱２０に隣接して配置してあって、その上端に形成した給気口３１は屋外等に開口している給気ダクト５４に接続してあり、またこの第２区画箱３０の下部に形成した吐出口３２はフード本体１０内に開口させてある。従って、シロッコファン２２を駆動している駆動モータ４０により当該給気ファン３３も駆動されれば、この給気ファン３３は、外気等をフード本体１０内に送り込み、シロッコファン２２による排気の排出作用に見合う分の外気の導入を行うのである。
従って、この請求項１の給排気型レンジフード１００は、キッチン内の調理器７０から発生した油煙を含む排気の排出を、給気ファン３３による外気の導入という助けを借りて効果的に行えるだけでなく、シロッコファン２２と給気ファン３３とを１つの駆動モータ４０に同軸的に連結するようにしたから、第９図〜第１１図に示した従来の給排気型レンジフードに比較して非常に小型化（コンパクト化）されているのであり、調理器７０と天井５２との間のスペースが小さい一般住宅においても、十分設置できるものとなっているのである。
上記目的を達成するために、請求項２に係る発明の採った手段は、上記請求項１のそれについて、
「フード本体１０の内側であって、第１及び第２区画箱２０・３０の下側に区画板３４を設け、この区画板３４と第１及び第２区画箱２０・３０との間に前記空気のための給気通路３５を形成して、この給気通路３５に第２区画箱３０の吐出口３２を開口させるとともに、この給気通路３５をフード本体１０の内側に開口させて、
給気ダクト５４からの空気をフード本体１０の内面に吐出させることにより、調理器７０からの排気を囲むエアカーテンを発生させるようにしたこと」
である。
すなわち、この請求項２の給排気型レンジフード１００は、第１図〜第４図に示した最良の形態についてのもので、第１区画箱２０及び第２区画箱３０の下方に、給気された空気の給気通路３５を形成する区画板３４を有したものである。
この区画板３４は、第１図に示すように、ハッチング矢印にて示した排気を第１区画箱２０に形成してあるシロッコファン２２のための吸引口２１に案内するとともに、第２区画箱３０の下端に開口させてある吐出口３２からの空気をフード本体１０の内面に向けて案内するものである。つまり、この区画板３４は、ハッチング矢印の排気と、白矢印で示した給気された空気とを互いに混合し合わないようにするものであり、特に空気をフード本体１０の内面に向けて吹き付けるようにしているものである。
以上のような区画板３４を有することにより、フード本体１０内に給気された空気は、第１図、第３図及び第４図中の白矢印にて示すように、フード本体１０の内面に沿って「層流風効果」、つまり油煙が直接フード本体１０に接触しないようにする効果を発揮するのである。この層流風は、調理器７０から直接上昇してくる排気の周囲を囲むエアカーテンともなるのであり、排気がキッチン内に広がらないように、フード本体１０による排気の捕集を確実にしているのである。
従って、この請求項２の給排気型レンジフード１００は、上記請求項１のそれと同様な機能を発揮する他、フード本体１０の内面に対する層流風効果を発揮するとともに、排気を包み込む空気によるエアカーテンを区画板３４によって確実に形成し得るものとなっているのである。
上記目的を達成するために、請求項３に係る発明の採った手段は、上記請求項１の給排気型レンジフード１００について、
「第１及び第２区画箱２０・３０の周囲に区画筒６０を取付けるとともに、この区画筒６０の下端に、第１区画箱２０の吸引口２１のみをフード本体１０内に連通させる通孔６２を有した隔離板６１を取付け、
この隔離板６１と、区画筒６３及びフード本体１０との間に給気通路６３を形成し、この給気通路６３内に対して、第２区画箱３０の吐出口３２、区画筒６０の開口６４、及びフード本体１０の上部に形成した給気口１２を介して第２区画箱３０内を連通させて、
給気ダクト５４からの空気をフード本体１０の外面に吐出させることにより、このフード本体１０上面１の油滴の付着を防止するとともに、調理器７０からの排気を囲むエアカーテンを発生させるようにしたこと」
である。
すなわち、この請求項３に係る給排気型レンジフード１００は、第５図〜第８図に示したものであり、上記請求項２に係る給排気型レンジフード１００とは異なって、第１区画箱２０及び第２区画箱３０の下部周囲に区画筒６０を設けることにより、この区画筒６０とフード本体１０の上部との間に、給気ファン３３によって吸引された外気の給気通路６３を形成するようにしたものである。そのため、この請求項３の給排気型レンジフード１００においては、第５図及び第６図に示すように、第２区画箱３０内に給気された空気をフード本体１０内に吐出する吐出口３２は、給気ファン３３を吸収している第２区画箱３０の下端には形成していなくて、第２区画箱３０の側部に形成し、この第２区画箱３０をフード本体１０外へ連通させるための隔離板６１を区画筒６０の下端に設けたものである。
区画筒６０は、上述した通り、第１区画箱２０及び第２区画箱３０の下部外周をとり囲むものであり、その上端を第１区画箱２０及び第２区画箱３０に取付けるとともに、その下端開口及びこれとフード本体１０の内面との間を隔離板６１によって塞いだものである。これにより、この区画筒６０とフード本体１０の内面との間に第１区画箱２０及び第２区画箱３０の周囲を囲むことになる給気通路６３を形成するとともに、この区画筒６０内に隔離板６１に形成した通孔６２のみでフード本体１０内に連通することになる排気取込み空間を形成しているのである。
給気通路６３についてみてみると、この給気通路６３はフード本体１０の上部側面に形成した多数の給気口１２によってフード本体１０外に開口しているのであるが、この給気通路６３は、第６図に示すように、隔離板６１の側面に形成した開口６４と、その内側に位置している第２区画箱３０の吐出口３２とにより、給気ファン３３を収納している第２区画箱３０内に連通しているのである。
以上のように給気通路６３を構成している結果、給気ファン３３によって第２区画箱３０内に吸引された外気等の空気は、この給気ファン３３の作用によって第２区画箱３０の吐出口３２、区画筒６０の開口６４、及びフード本体１０の給気口１２によって当該給排気型レンジフード１００外に吐出されるのである。吐出された空気は、第５図〜第８図中の白矢印にて示すように、シロッコファン２２の排気作用により、フード本体１０の上面上を、層流風を形成しながら流下してフード本体１０内に下方から入り込もうとするのであり、これにより、前述した層流風効果を発揮するとともに、調理器７０から立ち昇っている排気の周囲を囲むエアカーテンを形成することになるのである。
このエアカーテンは、第５図にも示すように、油煙を含む排気がキッチン内に拡散しないようにするものであり、シロッコファン２２による排気の排出を効果的に行うようにしているのである。このとき、エアカーテンを作る前の空気は、第６図に示したように、フード本体１０の上面を流れる層流風ともなるのであるから、このフード本体１０上に降り積もろうとしているホコリ等の除去をも行うものであり、前述したように、フード本体１０上面が汚れるのを防止する層流風効果を発揮しているものである。
従って、この請求項３に係る給排気型レンジフード１００も、上記請求項１のそれと同様な機能を発揮する他、給気流による層流風効果を発揮するとともに、区画筒６０及び隔離板６１によって形成される給気通路６３により排気を囲むエアカーテンを形成するのであり、排気の排出を効果的に行うと同時に、フード本体１０の外面が油煙によって汚れるのを防止するものとなっているのである。
【図面の簡単な説明】  第１図は、本発明の第１実施例に係る給排気型レンジフードの縦断正面図であり、第２図は、第１図中の１−１線に沿ってみた横断平面図であり、第３図は、第１図中の２−２線に沿ってみた縦断右側面図であり、第４図は、第１図の３−３線に沿ってみた縦断左側面図である。
第５図は、本発明の第２実施例に係る給排気型レンジフードの縦断正面図であり、第６図は、同給排気型レンジフードを拡大して示した部分拡大縦断正面図であり、第７図は、第５図中の４−４線に沿ってみた縦断右側面図であり、第８図は、第５図中の５−５線に沿ってみた縦断左側面図である。
第９図は、従来の技術を示す縦断側面図であり、第１０図は、従来の他の技術を示す縦断側面図であり、第１１図は、従来のさらに他の技術を示す縦断側面図である。
【符号の説明】
１００…給排気型レンジフード、１０…フード本体、１１…フィルター、１２…給気口、２０…第１区画箱、２１…吸引口、２２…シロッコファン、２２ａ…ブレード、２３…排出口、２４…ダンパ、３０…第２区画箱、３１…給気口、３２…吐出口、３３…給気ファン、３４…区画板、３５…給気通路、４０…駆動モータ、５０…ダクト接続ボックス、５１…スラブ、５２…天井、５３…排気ダクト、５４…給気ダクト、６０…区画筒、６１…隔離板、６２…通孔、６３…給気通路、６４…開口、７０…調理器、８０…加熱装置
【発明を実施するための最良の形態】  次に、本発明を実施するための最良の形態を、第１図〜第４図に示した第１実施例と、第５図〜第８図に示した第２実施例に従って説明すると、この場合、第１実施例は、請求項１及び請求項２の発明を実質的に含むものであり、第２実施例は、請求項１及び請求項３の発明を実質的に含むものである。
（第１実施例）
第１図には、第１実施例に係る給排気型レンジフード１００を、キッチンの天井５２であって、第２図に示したようななべ等の調理器７０上に取付けた状態の断面図が示してあり、この給排気型レンジフード１００には、調理器７０のさらに上になるスラブ５１下面に取付けたダクト接続ボックス５０を介して排気ダクト５３及び給気ダクト５４がそれぞれ接続してある。
この給排気型レンジフード１００は、第２図に示した加熱装置８０上の調理器７０に対して、上方から覆い被る形状のフード本体１０と、このフード本体１０内に組込まれて、互いに上下方向に位置して隣接し合う第１区画箱２０及び第２区画箱３０と、これらの第１区画箱２０及び第２区画箱３０内にそれぞれ設けたシロッコファン２２及び給気ファン３３を有しているものである。
フード本体１０内には、第１図、第３図及び第４図に示したように、調理器７０から立ち昇ってくる油煙や水蒸気等を含む排気中から、油煙の大部分を油滴化して捕集するフィルター１１が設けてある。なお、このフィルター１１にて補修された油滴は、第１図中に示した油貯め１１ａ中に一定量貯めておかれるものである。また、この第１実施例におけるフード本体１０の上部には、第２実施例における給気口１２は形成されていない。
このフード本体１０内には、第１図の図示左方部分及び第４図に示したように、第１区画箱２０が収納して取付けてあり、この第１区画箱２０の上部に形成してある排出口２３は、前述したダクト接続ボックス５０内に導びかれている排気ダクト５３に接続してある。また、この第１区画箱２０の下部側方には吸引口２１が形成してあって、この吸引口２１を通して第１区画箱２０内とフード本体１０内とを連通させてある。
この第１区画箱２０内の底部には、第４図に示したように、多数のブレード２２ａを有するシロッコファン２２が設けてあって、その中心開口は、第１区画箱２０の吸引口２１に対向させてある。このシロッコファン２２は、第１区画箱２０と後述する第２区画箱３０との接合部分に設けた１つの駆動モータ４０によって回転駆動されるものであり、フード本体１０内の排気を吸引口２１から吸引して、各ブレード２２ａ間から排気ダクト５３に向けて排出するものである。
なお、この第１区画箱２０内であってシロッコファン２２の後流側に位置する部分には、第１図に示したようにダンパ２４が設けてある。このダンパ２４は、当該給排気型レンジフード１００を作動させたときのみ第１区画箱２０内の通路を開放し、給排気型レンジフード１００の停止時にはこの第１区画箱２０内を閉じるものである。これにより、給排気型レンジフード１００の不使用中に、排気ダクト５３を通して外気が導入されてくるのを防止しているのである。
この第１区画箱２０に隣接する第２区画箱３０は、その上端に形成した給気口３１によって、ダクト接続ボックス５０内に導かれている給気ダクト５４に接続されるのものであって、この第１実施例の第２区画箱３０においては、その底部に吐出口３２が形成してある。また、この第２区画箱３０の底部内には、クロスファンと呼ばれるタイプの給気ファン３３が設けてあり、この給気ファン３３は、第１区画箱２０内に設けてあるシロッコファン２２と同軸的に、前述した１つの駆動モータ４０によって回転駆動されるものである。そして、この給気ファン３３は、前記シロッコファン２２とは異なってクロスファンタイプのものであり、その多数のブレードの外面によって風を送るものである。
この第２区画箱３０の下方には、給気通路３５を形成するため、所定間隔をおいて区画板３４が配置してあって、この区画板３４の一端（第１図中の図示左端）は第１区画箱２０に連結してあり、その第１図に示した右端は、フード本体１０の内面に対向させてある。つまり、この区画板３４は、フード本体１０内のフィルター１１を通して吸引されてきた排気を、第１区画箱２０の側方に形成してある吸引口２１に向けて案内するものであり、かつ第２区画箱３０の下方に形成した吐出口３２から送られてきた空気をフード本体１０の内面側に吹き出させるものである。
換言すれば、第２区画箱３０内の給気ファン３３は、給気ダクト５４を通して吸引した空気を、第２区画箱３０の底部に形成した吐出口３２から給気通路３５内に送り込み、この給気通路３５を構成している区画板３４によってフード本体１０の内面に向けて空気を吹き付けるようにしたものである。
この給気ファン３３による空気のフード本体１０内面への吹き付けが行われているということは、駆動モータ４０が駆動されていて第１区画箱２０内のシロッコファン２２も駆動されていることであるから、第１図、第３図及び第４図に示したように、調理器７０からの排気がフード本体１０内に向けて流れていることであるため、給気ファン３３による空気の吹き出しは、この排気の周りを取り囲むエアカーテンを形成することになるのである。
この第１実施例に係る給排気型レンジフード１００について、熱線風速計を用いて、排気ダクト５３側、及び給気ダクト５４の各部分における風速及び風量を測定したところ、次の表に示す結果が得られた。
2004051152.tif 000003
（第２実施例）
次に、第５図〜第８図に示した第２実施例について説明するが、この第２実施例に係る給排気型レンジフード１００においては、以下の点を除いて、上記第１実施例の給排気型レンジフード１００と共通する部材を多く含むものであるため、共通部材については、第５図〜第８図中に同一符号を付して、その説明を省略する。
この第２実施例の給排気型レンジフード１００の、第１実施例のそれと異なる点は、第１実施例における区画板３４を省略して、第１区画箱２０及び第２区画箱３０の下部外周を囲む区画筒６０を採用したことであり、これにより、区画筒６０とフード本体１０との間に、第１区画箱２０と第２区画箱３０とを囲む筒状の給気通路６３を形成したことである。この排出口２３内に、給気ファン３３によって外気を導入するための吐出口３２は、第２区画箱３０の底部に形成するのではなく、第６図に示したように、第２区画箱３０の側部に形成してあるのである。
この吐出口３２から区画筒６０内に送られた空気は、この区画筒６０に形成した開口６４を通して給気通路６３内に送り込まれるようにしてあり、この給気通路６３内に流入した空気は、フード本体１０の上方側部に多数形成してある各給気口１２から外方へ吹き出されるのである。
また、この第２実施例の給排気型レンジフード１００においては、第１区画箱２０内のシロッコファン２２によってフード本体１０内に吸引された排気は、第５図及び第６図に示したように、隔離板６１の図示左方部分に形成した通孔６２を通して、第１区画箱２０の吸引口２１内に入り込む。この排気の吸引時には、駆動モータ４０によって給気ファン３３も駆動されているのであるから、排気の周囲には、第５図〜第８図中の白矢印にて示したように、給気された外気によるエアカーテンが形成されるのである。
そして、外気がエアカーテンを形成する前段階においては、この外気は、第５図等に示したように、フード本体１０上を流下してホコリや油滴の付着を防止するのである。
【産業上の利用可能性】  以上、説明した通り、まず請求項１の発明においては、
「キッチンの調理器７０上に設置されて、少なくとも調理器７０から発生する油煙や水蒸気を含んだ排気をフード本体１０にて捕集してから排気ダクト５３を介して屋外に排出する給排気型レンジフード１００であって、
フード本体１０の上部内に、互いに上下方向に区画されて隣接し合う第１区画箱２０及び第２区画箱３０を配置し、
第１区画箱２０に、フード本体１０内に開口する吸引口２１と、ダクト５３が接続される排出口２３とを形成するとともに、この第１区画箱２０内に、吸引口２１から吸引した排気を各ブレード２２ａの間から排出するシロッコファン２２を設け、
第２区画箱３０に、屋外または室内の空気を吸引する給気ダクト５４に接続される給気口３１と、吸引した空気をフード本体１０の内側また外側に給気する吐出口３２とを形成すると共に、この第２区画箱３０内に、前記空気を吐出口３２に向けて送り出す給気ファン３３を設けて、
この給気ファン３３及びシロッコファン２２を１つの駆動モータ４０により同軸的に駆動するようにしたこと」
にその構成上の特徴があり、これにより、キッチン内の調理器７０から発生した油煙を含む排気の排出を、給気ファン３３による外気の導入という助けを借りて効果的に行えるだけでなく、シロッコファン２２と給気ファン３３とを１つの駆動モータ４０に同軸的に連結するようにしたから、第９図〜第１１図に示した従来の給排気型レンジフードに比較して非常に小型化（コンパクト化）されているのであり、調理器７０と天井５２との間のスペースが小さい一般住宅においても、十分設置できるものを提供することができるのである。
すなわち、この請求項１に係る給排気型レンジフード１００は、第１区画箱２０及び第２区画箱３０内にそれぞれ収納したシロッコファン２２及び給気ファン３３を、１つの駆動モータ４０に対して同軸的に接続したから、従来の技術に比較して、全体のコンパクト化を達成しているのであり、天井５２の低い一般住宅のキッチンでも十分設置することができるのである。
特に、この請求項１の給排気型レンジフード１００では、そのフード本体１０内に、上下方向に互いに隣接し合う第１区画箱２０と第２区画箱３０とを形成し、それぞれの中にシロッコファン２２と給気ファン３３とを設けるようにしているから、フード本体１０という狭い空間内に、上下方向の排気及び空気通路が効率よく形成されているのであり、シロッコファン２２と給気ファン３３とによる各送気を、限られた空間内で行えるようにしているのである。また、この請求項１に係る給排気型レンジフード１００は、フード本体１０をコンパクトなものにすることができ、第９図〜第１１図に示した従来のレンジフードに比較して小さくすることができるのである。
また、請求項２の発明においては、上記請求項１の給排気型レンジフード１００について、
「フード本体１０の内側であって、第１及び第２区画箱２０・３０の下側に区画板３４を設け、この区画板３４と第１及び第２区画箱２０・３０との間に前記空気のための給気通路３５を形成して、この給気通路３５に第２区画箱３０の吐出口３２を開口させるとともに、この給気通路３５をフード本体１０の内側に開口させて、
給気ダクト５４からの空気をフード本体１０の内面に吐出させることにより、調理器７０からの排気を囲むエアカーテンを発生させるようにしたこと」
にその構成上の特徴があり、これにより、上記請求項１と同様な効果を発揮することができる他、排気を包み込む空気によるエアカーテンを区画板３４によって確実に形成できるのである。
さらに、請求項３に係る発明においては、上記請求項１の給排気型レンジフード１００について、
「第１及び第２区画箱２０・３０の周囲に区画筒６０を取付けるとともに、この区画筒６０の下端に、第１区画箱２０の吸引口２１のみをフード本体１０内に連通させる通孔６２を有した隔離板６１を取付け、
この隔離板６１と、区画筒６３及びフード本体１０との間に給気通路６３を形成し、この給気通路６３内に対して、第２区画箱３０の吐出口３２、区画筒６０の開口６４、及びフード本体１０の上部に形成した給気口１２を介して第２区画箱３０内を連通させて、
給気ダクト５４からの空気をフード本体１０の外面に吐出させることにより、このフード本体１０上面１の油滴の付着を防止するとともに、調理器７０からの排気を囲むエアカーテンを発生させるようにしたこと」
にその構成上の特徴があり、これにより、請求項１と同様な効果を発揮することができる他、区画筒６０及び隔離板６１によって形成される給気通路６３により排気を囲むエアカーテンを形成するのであり、排気の排出を効果的に行うと同時に、フード本体１０の外面が油煙によって汚れるのを防止することができるのである。
【図１】
2004051152.tif 000004
【図２】
2004051152.tif 000005
【図３】
2004051152.tif 000006
【図４】
2004051152.tif 000007
【図５】
2004051152.tif 000008
【図６】
2004051152.tif 000009
【図７】
2004051152.tif 000010
【図８】
2004051152.tif 000011
【図９】
2004051152.tif 000012
【図１０】
2004051152.tif 000013
【図１１】
2004051152.tif 000014
【手続補正書】
【提出日】平成15年7月23日(2003.7.23)
【手続補正００１】
【補正対象書類名】特許請求の範囲
【補正対象項目名】全文
【補正方法】変更
【補正の内容】
【特許請求の範囲】
【請求項１】
キッチンの調理器（７０）上に設置されて、少なくとも調理器（７０）から発生する油煙や水蒸気を含んだ排気をフード本体（１０）にて捕集してから排気ダクト（５３）を介して屋外に排出する給排気型レンジフード（１００）であって、
フード本体（１０）の上部内に、互いに上下方向に区画されて隣接し合う第１区画箱（２０）及び第２区画箱（３０）を配置し、
第１区画箱（２０）に、フード本体（１０）内に開口する吸引口（２１）と、ダクト（５３）が接続される排出口（２３）とを形成するとともに、この第１区画箱（２０）内に、吸引口（２１）から吸引した排気を各ブレード（２２ａ）の間から排出するシロッコファン（２２）を設け、
第２区画箱（３０）に、屋外または室内の空気を吸引する給気ダクト（５４）に接続される給気口（３１）と、吸引した空気をフード本体（１０）の内側また外側に給気する吐出口（３２）とを形成すると共に、この第２区画箱（３０）内に、前記空気を吐出口（３２）に向けて送り出す給気ファン（３３）を設けて、この給気ファン（３３）及びシロッコファン（２２）を１つの駆動モータ（４０）により同軸的に駆動するようにし、
フード本体（１０）の内側であって、第１及び第２区画箱（２０）（３０）の下側に区画板（３４）を設け、この区画板（３４）と第１及び第２区画箱（２０）（３０）との間に前記空気のための給気通路（３５）を形成して、この給気通路（３５）に第２区画箱（３０）の吐出口（３２）を開口させるとともに、この給気通路（３５）をフード本体（１０）の内側に開口させて、
給気ダクト（５４）からの空気をフード本体（１０）の内面に吐出させることにより、調理器（７０）からの排気を囲むエアカーテンを発生させるようにしたことを特徴とする給排気型レンジフード（１００）。
【請求項２】
キッチンの調理器（７０）上に設置されて、少なくとも調理器（７０）から発生する油煙や水蒸気を含んだ排気をフード本体（１０）にて捕集してから排気ダクト（５３）を介して屋外に排出する給排気型レンジフード（１００）であって、
フード本体（１０）の上部内に、互いに上下方向に区画されて隣接し合う第１区画箱（２０）及び第２区画箱（３０）を配置し、
第１区画箱（２０）に、フード本体（１０）内に開口する吸引口（２１）と、ダクト（５３）が接続される排出口（２３）とを形成するとともに、この第１区画箱（２０）内に、吸引口（２１）から吸引した排気を各ブレード（２２ａ）の間から排出するシロッコファン（２２）を設け、
第２区画箱（３０）に、屋外または室内の空気を吸引する給気ダクト（５４）に接続される給気口（３１）と、吸引した空気をフード本体（１０）の内側また外側に給気する吐出口（３２）とを形成すると共に、この第２区画箱（３０）内に、前記空気を吐出口（３２）に向けて送り出す給気ファン（３３）を設けて、この給気ファン（３３）及びシロッコファン（２２）を１つの駆動モータ（４０）により同軸的に駆動するようにし、
第１及び第２区画箱（２０）（３０）の周囲に区画筒（６０）を取付けるとともに、この区画筒（６０）の下端に、第１区画箱（２０）の吸引口（２１）のみをフード本体（１０）内に連通させる通孔（６２）を有した隔離板（６１）を取付け、
この隔離板（６１）と、区画筒（６３）及びフード本体（１０）との間に給気通路（６３）を形成し、この給気通路（６３）内に対して、第２区画箱（３０）の吐出口（３２）、区画筒（６０）の開口（６４）、及びフード本体（１０）の上部に形成した給気口（１２）を介して第２区画箱（３０）内を連通させて、
給気ダクト（５４）からの空気をフード本体（１０）の外面に吐出させることにより、このフード本体（１０）上面１の油滴の付着を防止するとともに、調理器（７０）からの排気を囲むエアカーテンを発生させるようにしたことを特徴とする請求項１に記載の給排気型レンジフード。
【手続補正００２】
【補正対象書類名】明細書
【補正対象項目名】０００５
【補正方法】変更
【補正の内容】
【０００５】
そこで、本発明者は、排気の排出は勿論、排気を包み込むエアカーテンなどを発生させるための給気も行えて、しかも天井の低い一般住宅においても設置できるようなレンジフードとするにはどうしたらよいか、について種々検討を重ねてきた結果、本発明を完成したのである。
本発明は、以上の経緯に基づいてなされたもので、その目的とするところは、給気と排気とを同時に行えるようにして、室内の空気や壁等を汚れないようにすることは勿論、全体をコンパクト化することにより、設置スペースを小さくしてどのようなキッチンにも適用することのできるレンジフードを提供することにある。本発明のさらなる目的は、排気を包み込む前の給気によるエアカーテンによってフード本体が汚れないようにすることである。
発明の開示
以上の目的を達成するために、まず請求項１に係る発明の採った手段は、後述する最良の形態の説明中において使用する符号を付して説明すると、
「キッチンの調理器７０上に設置されて、少なくとも調理器７０から発生する油煙や水蒸気を含んだ排気をフード本体１０にて捕集してから排気ダクト５３を介して屋外に排出する給排気型レンジフード１００であって、
フード本体１０の上部内に、互いに上下方向に区画されて隣接し合う第１区画箱２０及び第２区画箱３０を配置し、
第１区画箱２０に、フード本体１０内に開口する吸引口２１と、ダクト５３が接続される排出口２３とを形成するとともに、この第１区画箱２０内に、吸引口２１から吸引した排気を各ブレード２２ａの間から排出するシロッコファン２２を設け、
第２区画箱３０に、屋外または室内の空気を吸引する給気ダクト５４に接続される給気口３１と、吸引した空気をフード本体１０の内側また外側に給気する吐出口３２とを形成すると共に、この第２区画箱３０内に、前記空気を吐出口３２に向けて送り出す給気ファン３３を設けて、この給気ファン３３及びシロッコファン２２を１つの駆動モータ４０により同


【手続補正００３】
【補正対象書類名】明細書
【補正対象項目名】０００６
【補正方法】変更
【補正の内容】
【０００６】
軸的に駆動するようにし、
さらに、フード本体１０の内側であって、第１及び第２区画箱２０・３０の下側に区画板３４を設け、この区画板３４と第１及び第２区画箱２０３０との間に前記空気のための給気通路３５を形成して、この給気通路３５に第２区画箱３０の吐出口３２を開口させるとともに、この給気通路３５をフード本体１０の内側に開口させて、
給気ダクト５４からの空気をフード本体１０の内面に吐出させることにより、調理器７０からの排気を囲むエアカーテンを発生させるようにしたことを特徴とする給排気型レンジフード１００」
である。
すなわち、この請求項１の給排気型レンジフード１００は、後述する２つの最良の形態の両方を含む上位概念に係るものであり、特に、上下方向に互いに隣接し合う第１区画箱２０と第２区画箱３０とをフード本体１０の上部に備えたものである。そして、第１区画箱２０内にはシロッコファン２２を組付け、第２区画箱３０内には給気ファン３３（クロスファンと呼ばれるタイプのもの）を組付けて、これらのシロッコファン２２及び給気ファン３３を、その中心に配設した１つの駆動モータ４０によって同軸的に駆動するようにしたものである。
特に、この給排気型レンジフード１００では、そのフード本体１０内に、上下方向に互いに隣接し合う第１区画箱２０と第２区画箱３０とを形成し、それぞれの中にシロッコファン２２と給気ファン３３とを設けるようにしているから、フード本体１０という狭い空間内に、上下方向の排気及び空気通路が効率よく形成されているのであり、シロッコファン２２と給気ファン３３とによる各送気を、限られた空間内で行えるようにしているのである。このため、この請求項１に係る給排気型レンジフード１００は、フード本体１０がコンパクトなものになって、第９図〜第１１図に示した従来のレンジフードに比較して小さくなっているのである。
以上のように構成することにより、第１図〜第８図中の黒矢印で示すような排気の流路と、白矢印で示すような給気の流路が形成されるのである。これら各流路は、互いに隣接し合う第１区画箱２０と第２区画箱３０とによって互いに混合し合うことなく送られるものとなっているのである。なお、後述する最良の形態では、フード本体１０内にフィルター１１を配置しており、このフィルター１１の存在によって油煙の一部が除去されるため、油煙がある程度除去された排気は、第１図〜第８図中のハッチング矢印で示したような流路を形成するものである。これら３種類の流路について、当該給排気型レンジフード１００の各構成部材と


【手続補正００４】
【補正対象書類名】明細書
【補正対象項目名】０００８
【補正方法】変更
【補正の内容】
【０００８】
箱３０内の給気ファン３３によって、外気または天井５２裏の空気の供給が次のようになされるから、排気ガスの排出は安定的になされるのである。
給気ファン３３を収納している第２区画箱３０は、シロッコファン２２を収納している第１区画箱２０に隣接して配置してあって、その上端に形成した給気口３１は屋外等に開口している給気ダクト５４に接続してあり、またこの第２区画箱３０の下部に形成した吐出口３２はフード本体１０内に開口させてある。従って、シロッコファン２２を駆動している駆動モータ４０により当該給気ファン３３も駆動されれば、この給気ファン３３は、外気等をフード本体１０内に送り込み、シロッコファン２２による排気の排出作用に見合う分の外気の導入を行うのである。
従って、この請求項１の給排気型レンジフード１００は、キッチン内の調理器７０から発生した油煙を含む排気の排出を、給気ファン３３による外気の導入という助けを借りて効果的に行えるだけでなく、シロッコファン２２と給気ファン３３とを１つの駆動モータ４０に同軸的に連結するようにしたから、第９図〜第１１図に示した従来の給排気型レンジフードに比較して非常に小型化（コンパクト化）されているのであり、調理器７０と天井５２との間のスペースが小さい一般住宅においても、十分設置できるものとなっているのである。
そして、この請求項１の給排気型レンジフード１００は、
「フード本体１０の内側であって、第１及び第２区画箱２０・３０の下側に区画板３４を設け、この区画板３４と第１及び第２区画箱２０・３０との間に前記空気のための給気通路３５を形成して、この給気通路３５に第２区画箱３０の吐出口３２を開口させるとともに、この給気通路３５をフード本体１０の内側に開口させて、
給気ダクト５４からの空気をフード本体１０の内面に吐出させることにより、調理器７０からの排気を囲むエアカーテンを発生させるようにした」
ものであった。
すなわち、この給排気型レンジフード１００は、第１図〜第４図に示した最良の形態についてのもので、第１区画箱２０及び第２区画箱３０の下方に、給気された空気の給気通路３５を形成する区画板３４を有したものである。


【手続補正００５】
【補正対象書類名】明細書
【補正対象項目名】０００９
【補正方法】変更
【補正の内容】
【０００９】
この区画板３４は、第１図に示すように、ハッチング矢印にて示した排気を第１区画箱２０に形成してあるシロッコファン２２のための吸引口２１に案内するとともに、第２区画箱３０の下端に開口させてある吐出口３２からの空気をフード本体１０の内面に向けて案内するものである。つまり、この区画板３４は、ハッチング矢印の排気と、白矢印で示した給気された空気とを互いに混合し合わないようにするものであり、特に空気をフード本体１０の内面に向けて吹き付けるようにしているものである。
以上のような区画板３４を有することにより、フード本体１０内に給気された空気は、第１図、第３図及び第４図中の白矢印にて示すように、フード本体１０の内面に沿って「層流風効果」、つまり油煙が直接フード本体１０に接触しないようにする効果を発揮するのである。この層流風は、調理器７０から直接上昇してくる排気の周囲を囲むエアカーテンともなるのであり、排気がキッチン内に広がらないように、フード本体１０による排気の捕集を確実にしているのである。
従って、この請求項１の給排気型レンジフード１００は、上述した機能を発揮する他、フード本体１０の内面に対する層流風効果を発揮するとともに、排気を包み込む空気によるエアカーテンを区画板３４によって確実に形成し得るものとなっているのである。
また、上記目的を達成するために、請求項２に係る発明の採った手段は、
「キッチンの調理器７０上に設置されて、少なくとも調理器７０から発生する油煙や水蒸気を含んだ排気をフード本体１０にて捕集してから排気ダクト５３を介して屋外に排出する給排気型レンジフード１００であって、
フード本体１０の上部内に、互いに上下方向に区画されて隣接し合う第１区画箱２０及び第２区画箱３０を配置し、
第１区画箱２０に、フード本体１０内に開口する吸引口２１と、ダクト５３が接続される排出口２３とを形成するとともに、この第１区画箱２０内に、吸引口２１から吸引した排気を各ブレード２２ａの間から排出するシロッコファン２２を設け、
第２区画箱３０に、屋外または室内の空気を吸引する給気ダクト５４に接続される給気口３１と、吸引した空気をフード本体１０の内側また外側に給気する吐出口３２とを形成すると共に、この第２区画箱３０内に、前記空気を吐出口３２に向けて送り出す給気ファン３３を設けて、この給気ファン３３及びシロッコファン２２を１つの駆動モータ４０により同軸的に駆動するようにし、
さらに、第１及び第２区画箱２０・３０の周囲に区画筒６０を取付けるとともに、この区画筒６０の下端に、第１区画箱２０の吸引口２１のみをフード本体１０内に連通させる通孔６２を有した隔離板６１を取付け、
この隔離板６１と、区画筒６３及びフード本体１０との間に給気通路６３を形成し、この給気通路６３内に対して、第２区画箱３０の吐出口３２、区画筒６０の開口６４、及びフード本体１０の上部に形成した給気口１２を介して第２区画箱３０内を連通させて、


【手続補正００６】
【補正対象書類名】明細書
【補正対象項目名】００１１
【補正方法】変更
【補正の内容】
【００１１】
た開口６４と、その内側に位置している第２区画箱３０の吐出口３２とにより、給気ファン３３を収納している第２区画箱３０内に連通しているのである。
以上のように給気通路６３を構成している結果、給気ファン３３によって第２区画箱３０内に吸引された外気等の空気は、この給気ファン３３の作用によって第２区画箱３０の吐出口３２、区画筒６０の開口６４、及びフード本体１０の給気口１２によって当該給排気型レンジフード１００外に吐出されるのである。吐出された空気は、第５図〜第８図中の白矢印にて示すように、シロッコファン２２の排気作用により、フード本体１０の上面上を、層流風を形成しながら流下してフード本体１０内に下方から入り込もうとするのであり、これにより、前述した層流風効果を発揮するとともに、調理器７０から立ち昇っている排気の周囲を囲むエアカーテンを形成することになるのである。
このエアカーテンは、第５図にも示すように、油煙を含む排気がキッチン内に拡散しないようにするものであり、シロッコファン２２による排気の排出を効果的に行うようにしているのである。このとき、エアカーテンを作る前の空気は、第６図に示したように、フード本体１０の上面を流れる層流風ともなるのであるから、このフード本体１０上に降り積もろうとしているホコリ等の除去をも行うものであり、前述したように、フード本体１０上面が汚れるのを防止する層流風効果を発揮しているものである。
従って、この請求項２に係る給排気型レンジフード１００も、上記請求項１のそれと同様な機能を発揮する他、給気流による層流風効果を発揮するとともに、区画筒６０及び隔離板６１によって形成される給気通路６３により排気を囲むエアカーテンを形成するのであり、排気の排出を効果的に行うと同時に、フード本体１０の外面が油煙によって汚れるのを防止するものとなっているのである。
図面の簡単な説明


【手続補正００７】
【補正対象書類名】明細書
【補正対象項目名】００１２
【補正方法】変更
【補正の内容】
【００１２】
第１図は、本発明の第１実施例に係る給排気型レンジフードの縦断正面図であり、第２図は、第１図中の１−１線に沿ってみた横断平面図であり、第３図は、第１図中の２−２線に沿ってみた縦断右側面図であり、第４図は、第１図の３−３線に沿ってみた縦断左側面図である。
第５図は、本発明の第２実施例に係る給排気型レンジフードの縦断正面図であり、第６図は、同給排気型レンジフードを拡大して示した部分拡大縦断正面図であり、第７図は、第５図中の４−４線に沿ってみた縦断右側面図であり、第８図は、第５図中の５−５線に沿ってみた縦断左側面図である。
第９図は、従来の技術を示す縦断側面図であり、第１０図は、従来の他の技術を示す縦断側面図であり、第１１図は、従来のさらに他の技術を示す縦断側面図である。
（符号の説明）
１００…給排気型レンジフード、１０…フード本体、１１…フィルター、１２…給気口、２０…第１区画箱、２１…吸引口、２２…シロッコファン、２２ａ…ブレード、２３…排出口、２４…ダンパ、３０…第２区画箱、３１…給気口、３２…吐出口、３３…給気ファン、３４…区画板、３５…給気通路、４０…駆動モータ、５０…ダクト接続ボックス、５１…スラブ、５２…天井、５３…排気ダクト、５４…給気ダクト、６０…区画筒、６１…隔離板、６２…通孔、６３…給気通路、６４…開口、７０…調理器、８０…加熱装置
発明を実施するための最良の形態
次に、本発明を実施するための最良の形態を、第１図〜第４図に示した第１実施例と、第５図〜第８図に示した第２実施例に従って説明すると、この場合、第１実施例は、請求項１の発明を実質的に含むものであり、第２実施例は、請求項２の発明を実質的に含むものである。


【手続補正００８】
【補正対象書類名】明細書
【補正対象項目名】００１８
【補正方法】変更
【補正の内容】
【００１８】
そして、外気がエアカーテンを形成する前段階においては、この外気は、第５図等に示したように、フード本体１０上を流下してホコリや油滴の付着を防止するのである。
産業上の利用可能性
以上、説明した通り、請求項１の発明においては、まず、
「キッチンの調理器７０上に設置されて、少なくとも調理器７０から発生する油煙や水蒸気を含んだ排気をフード本体１０にて捕集してから排気ダクト５３を介して屋外に排出する給排気型レンジフード１００であって、
フード本体１０の上部内に、互いに上下方向に区画されて隣接し合う第１区画箱２０及び第２区画箱３０を配置し、
第１区画箱２０に、フード本体１０内に開口する吸引口２１と、ダクト５３が接続される排出口２３とを形成するとともに、この第１区画箱２０内に、吸引口２１から吸引した排気を各ブレード２２ａの間から排出するシロッコファン２２を設け、
第２区画箱３０に、屋外または室内の空気を吸引する給気ダクト５４に接続される給気口３１と、吸引した空気をフード本体１０の内側また外側に給気する吐出口３２とを形成すると共に、この第２区画箱３０内に、前記空気を吐出口３２に向けて送り出す給気ファン３３を設けて、
この給気ファン３３及びシロッコファン２２を１つの駆動モータ４０により同軸的に駆動するようにしたこと」
にその構成上の主たる特徴があり、これにより、キッチン内の調理器７０から発生した油煙を含む排気の排出を、給気ファン３３による外気の導入という助けを借りて効果的に行えるだけでなく、シロッコファン２２と給気ファン３３とを１つの駆動モータ４０に同軸的に連結するようにしたから、第９図〜第１１図に示した従来の給排気型レンジフードに比較して非常に小型化（コンパクト化）されているのであり、調理器７０と天井５２との間のスペースが小さい一般住宅においても、十分設置できるものを提供することができるのである。


【手続補正００９】
【補正対象書類名】明細書
【補正対象項目名】００１９
【補正方法】変更
【補正の内容】
【００１９】
すなわち、この請求項１に係る給排気型レンジフード１００は、第１区画箱２０及び第２区画箱３０内にそれぞれ収納したシロッコファン２２及び給気ファン３３を、１つの駆動モータ４０に対して同軸的に接続したから、従来の技術に比較して、全体のコンパクト化を達成しているのであり、天井５２の低い一般住宅のキッチンでも十分設置することができるのである。
特に、この請求項１の給排気型レンジフード１００では、そのフード本体１０内に、上下方向に互いに隣接し合う第１区画箱２０と第２区画箱３０とを形成し、それぞれの中にシロッコファン２２と給気ファン３３とを設けるようにしているから、フード本体１０という狭い空間内に、上下方向の排気及び空気通路が効率よく形成されているのであり、シロッコファン２２と給気ファン３３とによる各送気を、限られた空間内で行えるようにしているのである。また、この請求項１に係る給排気型レンジフード１００は、フード本体１０をコンパクトなものにすることができ、第９図〜第１１図に示した従来のレンジフードに比較して小さくすることができるのである。
また、この給排気型レンジフード１００においては、
「フード本体１０の内側であって、第１及び第２区画箱２０・３０の下側に区画板３４を設け、この区画板３４と第１及び第２区画箱２０・３０との間に前記空気のための給気通路３５を形成して、この給気通路３５に第２区画箱３０の吐出口３２を開口させるとともに、この給気通路３５をフード本体１０の内側に開口させて、
給気ダクト５４からの空気をフード本体１０の内面に吐出させることにより、調理器７０からの排気を囲むエアカーテンを発生させるようにしたこと」
をもその構成上の特徴とするものであり、これにより、上記効果を発揮することができる他、排気を包み込む空気によるエアカーテンを区画板３４によって確実に形成できるのである。


【手続補正０１０】
【補正対象書類名】明細書
【補正対象項目名】００２０
【補正方法】変更
【補正の内容】
【００２０】
そして、請求項２に係る発明においては、
「キッチンの調理器７０上に設置されて、少なくとも調理器７０から発生する油煙や水蒸気を含んだ排気をフード本体１０にて捕集してから排気ダクト５３を介して屋外に排出する給排気型レンジフード１００であって、
フード本体１０の上部内に、互いに上下方向に区画されて隣接し合う第１区画箱２０及び第２区画箱３０を配置し、
第１区画箱２０に、フード本体１０内に開口する吸引口２１と、ダクト５３が接続される排出口２３とを形成するとともに、この第１区画箱２０内に、吸引口２１から吸引した排気を各ブレード２２ａの間から排出するシロッコファン２２を設け、
第２区画箱３０に、屋外または室内の空気を吸引する給気ダクト５４に接続される給気口３１と、吸引した空気をフード本体１０の内側また外側に給気する吐出口３２とを形成すると共に、この第２区画箱３０内に、前記空気を吐出口３２に向けて送り出す給気ファン３３を設けて、この給気ファン３３及びシロッコファン２２を１つの駆動モータ４０により同軸的に駆動するようにし、
第１及び第２区画箱２０・３０の周囲に区画筒６０を取付けるとともに、この区画筒６０の下端に、第１区画箱２０の吸引口２１のみをフード本体１０内に連通させる通孔６２を有した隔離板６１を取付け、
この隔離板６１と、区画筒６３及びフード本体１０との間に給気通路６３を形成し、この給気通路６３内に対して、第２区画箱３０の吐出口３２、区画筒６０の開口６４、及びフード本体１０の上部に形成した給気口１２を介して第２区画箱３０内を連通させて、
給気ダクト５４からの空気をフード本体１０の外面に吐出させることにより、このフード本体１０上面１の油滴の付着を防止するとともに、調理器７０からの排気を囲むエアカーテンを発生させるようにしたこと」
にその構成上の特徴があり、これにより、請求項１と同様な効果を発揮することができる他、区画筒６０及び隔離板６１によって形成される給気通路６３により排気を囲むエアカーテンを形成するのであり、排気の排出を効果的に行うと同時に、フード本体１０の外面が油煙によって汚れるのを防止することができるのである。




【国際調査報告】
2004051152.tif 000015
2004051152.tif 000016
2004051152.tif 000017